(57)【要約】      （修正有）【課題】複数の収納箱を嵌め合わせて重ねることが可能な構造の収納箱を提供する。【解決手段】複数の収納箱を嵌め合わせて重ねることが可能な構造をもつ収納箱は、複数の側板と一枚の底板からなるとともに、上が広く下が狭く且つ下に延伸する内空間１０を上方に備える台形の箱体１である。前記側板と底板は、一定の厚さをもった紙板かプラスチック板からなり、その外面は布材で被覆される。なお、プラスチック材料を一体成型させて箱体１を形成することもできる。箱体１の対向する両外側面には、コ形の可撓性ベルト１１がそれぞれ設けられ、ベルト１１の中間には、取っ手１２が被せられる。取っ手１２の端面は、半円形、矩形、楕円形、三角形、或いは、適切なあらゆる種類の幾何形状にすることができる。この収納箱の構造により、ベルトの可撓性を利用して、取っ手１２を箱体１の外側或いは内空間１０までひっくり返すことができる。【選択図】図１
0003166008.tif 000002
【実用新案登録請求の範囲】
【請求項１】
複数の側板と一枚の底板を備える箱体からなる、複数の収納箱を嵌め合わせて重ねることが可能な構造をもつ収納箱であって、
前記箱体の対向する両外側面には、それぞれ可撓性ベルトが設けられ、
前記可撓性ベルトの両端は箱体外側面に固定され、
前記ベルトの両端の間には取っ手が設けられることを特徴とする、複数の収納箱を嵌め合わせて重ねることが可能な構造をもつ収納箱。
【請求項２】
前記箱体は、上が広く下が狭い台形体であることを特徴とする、請求項１に記載の複数の収納箱を嵌め合わせて重ねることが可能な構造をもつ収納箱。
【請求項３】
前記取っ手の端面は、半円形、矩形、楕円形、或いは三角形であることを特徴とする、請求項１に記載の複数の収納箱を嵌め合わせて重ねることが可能な構造をもつ収納箱。
【考案の詳細な説明】
【技術分野】
【０００１】
本考案は物品収納するための収納箱に関し、特に複数の収納箱を嵌め合わせて重ねることが可能な構造をもつ収納箱に関する。
【背景技術】
【０００２】
従来の収納箱は、軟らかい布材料からなる矩形の箱体であり、矩形の箱体の上端の四辺には、上水平バーが設けられており、箱体の下端の対向する両辺には下水平バーが設けられ、箱体の四つの垂直辺には、それぞれ垂直バーが設けられている。また、隣接する上水平バー端部の間、及び、隣接する下水平バー端部の間、及び、垂直バーと上、下水平バーの端部の間は、適切な距離が保たれており、箱体の各垂直壁面は、対角が交差する折線を形成する。以上の構造により、軟質の箱体は、垂直バー、上水平バー、及び下水平バーに支持されて、物品を収容できる物品収納箱になり、また、それをひねって平らに折りたたむこともできる。しかしながら、この種の収納箱の箱体の底部ともう一つの箱体上方の間には嵌め合わせ構造がないため、上方に重ねられた箱体が安定せず、滑って落ちやすい。
【考案の概要】
【考案が解決しようとする課題】
【０００３】
従来の収納箱は、相互に重ね合わせて最小の体積にすることができるものの、箱体を高い位置で重ね合わせた時、上方の箱体の底部と、下方に位置するもう一つの箱体の上方の間には嵌め合わせ構造がないため、上方に重ね合わされた箱体が滑って落ちやすいという欠点があった。
【０００４】
そこで、本考案は、複数の収納箱を嵌め合わせて重ねることが可能な構造をもつ収納箱を提供することを目的とする。
【課題を解決するための手段】
【０００５】
本考案による複数の収納箱を嵌め合わせて重ねることが可能な構造をもつ収納箱は、収納箱の箱体の両側にそれぞれ可撓性ベルトを設けるとともに、可撓性ベルトに取っ手を設ける。
【考案の効果】
【０００６】
本考案のベルトは可撓性を有するため、取っ手を箱体外或いは箱体内までひっくり返すことができる。取っ手が箱体の外に位置する時、しまいやすいように、複数の箱体を重ね合わせて最小の体積にすることができる。また、取っ手を箱体内までをひっくり返した時は、もう一つの箱体の底部を前記箱体内に嵌め合わせると、箱体内の取っ手が上方の箱体底部を支持し、安定した嵌め合わせ構造を形成するため滑って落ちたりしなくなる。
【図面の簡単な説明】
【０００７】
【図１】本考案の収納箱の構造を示した斜視図である。
【図２】本考案の複数の収納箱を重ねて収納した実施例を示した斜視図である。
【図３】本考案の箱体外側面に設けられた取っ手を箱体側板を跨いで箱体内に進入させた実施例を示した斜視図である。
【図４】本考案の複数の収納箱を重ねた実施例を示した断面図である。
【図５】本考案の複数の収納箱を重ねた実施例を示した斜視図である。
【図６Ａ】本考案の取っ手の端面を矩形にして箱体を支持させた実施例の一部分を示した断面図である。
【図６Ｂ】本考案の取っ手の端面を楕円形にして箱体を支持させた実施例の一部分を示した断面図である。
【図６Ｃ】本考案の取っ手の端面を三角形にして箱体を支持させた実施例の一部分を示した断面図である。
【考案を実施するための形態】
【０００８】
本考案の技術手段、機能、及び効果について更に理解できるよう、以下に、図を参照しながら、本考案の実施例について詳細な説明を行う。
【０００９】
図１に示すように、本考案による複数の収納箱を嵌め合わせて重ねることが可能な構造をもつ収納箱は、複数の側板と一枚の底板からなるとともに、上が広く下が狭く且つ下に延伸する内空間１０を上方に備える台形の箱体１である。前記側板と底板は、一定の厚さをもった紙板かプラスチック板からなり、その外面は布材で被覆される。なお、プラスチック材料を一体成型させて箱体１を形成することもできる。本考案の箱体１の対向する両外側面には、コ形の可撓性ベルト１１がそれぞれ設けられ、ベルト１１の中間には、取っ手１２が被せられる。取っ手１２の端面は、半円形（図４に図示）、矩形（図６Ａに図示）、楕円形（図６Ｂに図示）、三角形（図６Ｃに図示）、或いは、適切なあらゆる種類の幾何形状にすることができる。この収納箱の構造により、ベルトの可撓性を利用して、取っ手１２を箱体１の外側或いは内空間１０までひっくり返すことができる。取っ手１２を箱体１の外側までひっくり返した時、複数の箱体１を収納しやすいように重ねて最小の体積にすることができる（図２に図示）。箱体１内に物品を置き、箱体を高い位置で重ね合わせ空間を節約したい時は、下方の箱体１の取っ手１２を箱体１の内空間１０までひっくり返し（図３に図示）、その後、もう一つの箱体１の底部を、下方の箱体の内空間に嵌めこむと、下方の箱体内の取っ手１２によって上方の箱体１の底部が支持される（図４及び図５に図示）。上方の箱体の底部は、下方の箱体の内空間の一定の深さまで嵌めこまれるため、安定した嵌め合わせ構造が形成される。それにより、上方の箱体が、下方の箱体から滑って落ちたりしにくくなる。
【符号の説明】
【００１０】
１    箱体
１０  内空間
１１  ベルト
１２  取っ手
【図１】
0003166008.tif 000003
【図２】
0003166008.tif 000004
【図３】
0003166008.tif 000005
【図４】
0003166008.tif 000006
【図５】
0003166008.tif 000007
【図６Ａ】
0003166008.tif 000008
【図６Ｂ】
0003166008.tif 000009
【図６Ｃ】
0003166008.tif 000010
【手続補正書】
【提出日】平成22年12月2日(2010.12.2)
【手続補正１】
【補正対象書類名】実用新案登録請求の範囲
【補正対象項目名】全文
【補正方法】変更
【補正の内容】
【実用新案登録請求の範囲】
【請求項１】
複数の側板と一枚の底板を備える箱体からなる収納箱であって、
前記箱体は、上が広く下が狭い台形体であり、
前記箱体の対向する両外側面には、それぞれ可撓性ベルトが設けられ、
前記可撓性ベルトの両端は箱体外側面に固定され、
前記ベルトの両端の間には取っ手が設けられることを特徴とする、収納箱。
【請求項２】
前記取っ手の端面は、半円形、矩形、楕円形、或いは三角形であることを特徴とする、請求項１に記載の収納箱。